(57)【特許請求の範囲】
【請求項１】
左右両側に壁面（Ｗ２，Ｗ３）を有する通路（Ｐ１）が、その前方を横切る通路（Ｐ２）に連結する室内のＴ字路において、前記通路（Ｐ１）の前方が突き当る前記通路（Ｐ２）側の壁面（Ｗ１）に安全確認ミラー（１）を配置し、この安全確認ミラー（１）として、前記通路（Ｐ１）の幅方向中心（Ｃ２）に対する左右両側にそれぞれフレネルミラー（３、３）を貼り付け、これらフレネルミラー（３、３）を、それぞれ同心円状のフレネルミラーの幅方向中心（Ｃ１）に対して一方側に偏った部分を反射面（２）として有すると共に、該反射面（２）の他方側端（２ｂ）から前記同心円状のフレネルミラーの幅方向中心（Ｃ１）までの距離が１００ｍｍ以下であるように偏った構成にし、かつこれらフレネルミラー（３、３）をそれぞれの前記他端側端（２ｂ、２ｂ）が前記通路（Ｐ１）の幅方向中心（Ｃ２）側に対向するように配置した安全確認ミラーの配置構造。
【請求項２】
前記反射面（２）の他方側端（２ｂ）が、前記同心円状のフレネルミラーの幅方向中心（Ｃ１）と一致する請求項１に記載の安全確認ミラーの配置構造。
【請求項３】
前記反射面（２）の一方側端（２ａ）を、前記通路（Ｐ１）を形成する両壁面（Ｗ２，Ｗ３）のうちの対応する側にある一方の壁面の延長線と一致させる請求項１または２に記載の安全確認ミラーの配置構造。
【請求項４】
前記反射面（２）の一方側端（２ａ）の方向を示す表示部（９）を表面に備えた請求項１〜３のいずれかに記載の安全確認ミラーの配置構造。
【請求項５】
前記表示部（９）が矢印である請求項４に記載の安全確認ミラーの配置構造。
【請求項６】
危険を知らせる表示部（１０）を表面に備えた請求項１〜５に記載の安全確認ミラーの配置構造。
【発明の詳細な説明】
【技術分野】
【０００１】
本発明は、安全確認ミラーの配置構造に関し、さらに詳しくは、通路のコーナー周辺の死角領域をより明確に把握し易くした安全確認ミラーの配置構造に関するものである。
【背景技術】
【０００２】
平面状の透明プラスチック板の裏面に、多数の環状の傾斜溝を同心円状に形成し、傾斜溝の傾斜角度を同心円中心から半径方向外側に向かって順次大きくし、傾斜溝の上に反射膜を積層したフレネルミラーが知られている（例えば、特許文献１参照）。フレネルミラーは、従来の凸面ミラーに比して厚さを小さくすることができるので、通路のコーナー周辺の死角を確認するために、Ｔ字路、Ｌ字路や十字路等の通路の壁面に設置しても邪魔にならない。
【０００３】
例えば、Ｔ字路の死角を確認するためには、図８に例示するように通路Ｐ１が突き当る突き当り壁面Ｗ１にフレネルミラー３を設置することになる。このようにフレネルミラー３を設置すると、突き当り壁面Ｗ１に突き当る通路Ｐ１を直進してきた人Ｈ１は、フレネルミラー３を見ることにより、コーナーで曲がろうとしている方向の死角領域Ｓ１の状況を把握することができる。これにより、この人Ｈ１は、死角領域Ｓ１から進行してくる人Ｈ２や物等との衝突を防止できる。
【０００４】
ところが、フレネルミラー３には、その人Ｈ１が曲がろうとしてない方向の領域Ｓ２の状況も映される。人Ｈ１が左側に曲がろうとする場合、自分が進んできた通路Ｐ１がある程度の幅を有していれば、領域Ｓ２側から進行してくる人Ｈ３や物等は、フレネルミラー３がなくても目視によって把握することができる。むしろ、その人Ｈ１が曲がろうとしてない方向の領域Ｓ２の状況がフレネルミラー３に映されると、その人Ｈ１は、その映された像によって混乱することがある。例えば、フレネルミラー３に映っている像が、自分が曲がろうとしている方向の状況なのか、曲がろうとしてない方向の状況なのかが分からなくなることがある。
【０００５】
このように不要な像がフレネルミラー３に映されると、フレネルミラー３を見た人Ｈ１は混乱して必要な方向の死角領域Ｓ１を明確に把握できないことがある。
【０００６】
また、フレネルミラー３を１枚そのままで使用する場合には、Ｔ字路の左右両側に延びる通路Ｐ２の左右両側の死角領域を映すために、フレネルミラー３を、突き当り壁面Ｗ１に、突き当る通路Ｐ１の幅方向中心Ｃ２に位置するように設置する必要がある。そのため、フレネルミラー３によって把握できる通路Ｐ２の左右両側の死角領域が小さくなるという問題がある。
【先行技術文献】
【特許文献】
【０００７】
【特許文献１】特開平６−１７４９０６号公報
【発明の概要】
【発明が解決しようとする課題】
【０００８】
本発明の目的は、通路のコーナー周辺の死角領域をより明確に把握し易くした安全確認ミラーの配置構造を提供することにある。
【課題を解決するための手段】
【０００９】
上記目的を達成するため本発明の安全確認ミラーの配置構造は、左右両側に壁面（Ｗ２，Ｗ３）を有する通路（Ｐ１）が、その前方を横切る通路（Ｐ２）に連結する室内のＴ字路において、前記通路（Ｐ１）の前方が突き当る前記通路（Ｐ２）側の壁面（Ｗ１）に安全確認ミラー（１）を配置し、この安全確認ミラー（１）として、前記通路（Ｐ１）の幅方向中心（Ｃ２）に対する左右両側にそれぞれフレネルミラー（３、３）を貼り付け、これらフレネルミラー（３、３）を、それぞれ同心円状のフレネルミラーの幅方向中心（Ｃ１）に対して一方側に偏った部分を反射面（２）として有すると共に、該反射面（２）の他方側端（２ｂ）から前記同心円状のフレネルミラーの幅方向中心（Ｃ１）までの距離が１００ｍｍ以下であるように偏った構成にし、かつこれらフレネルミラー（３、３）をそれぞれの前記他端側端（２ｂ、２ｂ）が前記通路（Ｐ１）の幅方向中心（Ｃ２）側に対向するように配置したことを特徴とする。
【発明の効果】
【００１０】
本発明の安全確認ミラーの配置構造は、フレネルミラーの幅方向中心に対して一方側に偏った部分を反射面として有しているので、反射面に、曲がろうとしている一方向の通路の死角領域を映して、その状況を把握することができる。一方、不要な方向の状況は反射面に映らないようにすることができる。そのため、安全確認ミラーを見た人は、不要な像によって混乱することがなくなり、通路のコーナー周辺の死角領域をより明確に把握し易くなる。これにより、通路のコーナー周辺での不用意な衝突をより確実に防止することができる。
【００１１】
また、本発明の安全確認ミラーの配置構造は、専ら、一方向の通路の死角領域を映すために使用するので、必要な一方向の通路の死角領域を映すために適した位置に設置することができる。そのため、必要な方向のより広い範囲の状況を反射面に映すことが可能になるので、通路のコーナー周辺での不用意な衝突を防止するには益々有利になる。
【００１２】
ここで、前記反射面の他方側端から、フレネルミラーの幅方向中心までの距離が１００ｍｍ以下である仕様にすることにより、反射面に、必要な方向の死角領域を映すとともに不要な像を映らないようにし易くなる。
【００１５】
前記反射面の他方側端が、フレネルミラーの幅方向中心と一致する仕様にすると製造効率が向上する。即ち、１枚のフレネルミラーから無駄なく２つの反射面を得ることができる。
【００１６】
前記反射面の一方側端の方向を示す表示部を表面に備えた仕様にすることもできる。この表示部によって、この方向に対する意識が喚起されるので、この方向の状況をより把握し易くなる。前記表示部を矢印にすることもできる。この場合、矢印によって、反射面の一方側端の方向が一見して分かるので、この方向の状況をさらに把握し易くなる。危険を知らせる表示部を表面に備えた仕様にすると、危険を喚起することができるので安全性がより向上する。
【図面の簡単な説明】
【００１７】
【図１】本発明の安全確認ミラーの配置構造を例示する正面図である。
【図２】図１の安全確認ミラーの一部拡大断面図である。
【図３】反射面の範囲を説明する平面図である。
【図４】安全確認ミラーの別の実施形態を例示する正面図である。
【図５】安全確認ミラーのさらに別の実施形態を例示する正面図である。
【図６】安全確認ミラーのさらに別の実施形態を例示する正面図である。
【図７】安全確認ミラーをＴ字路の突き当り壁面に設置した状態を例示する説明図である。
【図８】１枚のフレネルミラーをそのまま、Ｔ字路の突き当り壁面に設置した状態を例示する説明図である。
【発明を実施するための形態】
【００１８】
以下、本発明の安全確認ミラーの配置構造を、図に示した実施形態に基づいて説明する。
【００１９】
図１および図２に例示するように、本発明に用いる安全確認ミラー１は、フレネルミラー３の幅方向中心Ｃ１に対して一方側に偏った部分を反射面２として有している。反射面２は像を写す面である。
【００２０】
フレネルミラー３は平面状の透明プラスチック板４の裏面に、多数の環状の傾斜溝５が同心円状に形成され、傾斜溝５の上に反射膜６が積層されている。透明プラスチック板４は、フレネルミラー３の本体とは別体として、これらを嵌合させて一体化させる構造にすることもできる。傾斜溝５の傾斜角度Ａは同心円中心Ｃから半径方向外側に向かって順次大きくなっている。反射膜６の上には塗料等からなる保護層７が積層されている。透明プラスチック板４の裏面には、両面テープ８が取り付けられており、安全確認ミラー１は両面テープ８によって壁面に固定される。両面テープ８に代えて、或いは、両面テープ８に加えて、ネジ等によって安全確認ミラー１を壁面に固定することもできる。
【００２１】
フレネルミラー３の幅方向中心Ｃ１とは、環状の傾斜溝５の中心を通り、１枚のフレネルミラー３を左右に２等分する線分である。この実施形態では、フレネルミラー３の幅方向中心Ｃ１に対して右側に偏った部分を反射面２として有している。反射面２の他方側端２ｂが、フレネルミラー３の幅方向中心Ｃ１と一致した仕様になっている。
【００２２】
反射面２は、図１の実施形態に示した部分に限らず、例えば、図３において点線で囲まれた範囲２Ａ、２Ｂにすることもできる。反射面２Ａでは、他方側端２ｂの位置が幅方向中心Ｃ１に対して、フレネルミラー３における反射面２の偏り方向と反対側に位置している。反射面２Ｂでは、他方側端２ｂの位置が幅方向中心Ｃ１に対して、フレネルミラー３における反射面２の偏り方向と同じ側に位置している。反射面２Ａ、２Ｂの他方側端２ｂから幅方向中心Ｃ１までの長さＬ１、Ｌ２は１００ｍｍ以下にする。
【００２３】
図４に安全確認ミラー１の別の実施形態を例示する。この実施形態は、反射面２の一方側端２ａの方向を示す表示部９を表面に備えている。この表示部９として、具体的には矢印が表示されている。この表示部９としては、その他に、反射面２の一方側端２ａの方向が右方向であれば「右」等の文字表示、左方向であれば「左」等の文字表示を用いることができる。
【００２４】
安全確認ミラー１の表面には、反射面２が映す方向（一方側端２ａの方向）に存在する物を示す特定表示９ａを設けることもできる。特定表示９ａとしては、「トイレ」、「会議室」、「受付」、「エレベータ」、「階段」、「消火器」等を例示できる。この特定表示９ａは、表示部９とともに或いは、表示部９に代わって設けることができる。
【００２５】
この実施形態は、さらに、危険を知らせる表示部１０を表面に備えている。この表示部１０としては、「危険」、「注意」等の文字表示を用いることができる。
【００２６】
尚、安全確認ミラー１は、図５に例示する実施形態のように、すべての範囲をフレネルミラー３で構成することもできる。この場合、上記した表示部９、１０や特定表示９ａは、フレネルミラー３の表面に直接印刷する等によって設ける。
【００２７】
図６に例示するようにフレネルミラー３を配置することもできる。この実施形態では、フレネルミラー３を安全確認ミラー１において、上下方向中途の位置に配置し、かつ左右両端をそのまま安全確認ミラー１の左右両端としている。そして、フレネルミラー３の上下に配置されたプラスチック板は、適宜着色されている。この実施形態では、フレネルミラー３が際立つことなく自然な感じで壁面に設置することができる。
【００２８】
安全確認ミラー１の厚さは、例えば２．０ｍｍ〜５．０ｍｍ程度である。反射面２の形状は、図１のような四角形、図４のような一方側端２ａを突出した円弧状にした形状、三角形、円形、楕円形、台形等の種々の形状を採用することができる。反射面２の大きさは、四角形の場合、一辺が１００ｍｍ〜５００ｍｍ程度である。他の形状の場合も、四角形の場合の面積に相当する大きさである。
【００２９】
傾斜溝５の半径方向配置ピッチは、例えば０．１ｍｍ〜０．５ｍｍ、好ましくは０．２ｍｍ〜０．４ｍｍ程度である。透明プラスチック板４には、ポリカーボネート（ＰＣ）、アクリル（ＰＭＭＡ）、塩化ビニル（ＰＶＣ）、ポリエチレン（ＰＥ）等の透明性に優れた樹脂を用いるとよい。反射膜６としては、金属蒸着膜や金属メッキ膜等を用いることができる。反射膜６の厚さは、例えば１０ｎｍ〜２００ｎｍ程度である。
【００３０】
安全確認ミラー１を設置する場所は、特に限定されないが、本発明では屋内の壁面に設置する。例えば、病院、学校、オフィスビル等の様々な場所に設置することができる。
【００３１】
安全確認ミラー１をＴ字路の突き当り壁面Ｗ１に設置する場合は、図７に例示するように、反射面２の他方側端２ｂが、その突き当り壁面Ｗ１に突き当る通路Ｐ１の幅方向中心Ｃ２に対して、フレネルミラー３における反射面２の偏り方向と同じ方向側に位置するように設置する。この際に、反射面２の他方側端２ｂが、一方側端２ａよりも通路Ｐ１の幅方向中心Ｃ２側に位置するように設置する。
【００３２】
突き当り壁面Ｗ１に向かって通路Ｐ１を進行してくる人Ｈ１が、コーナーで左側に曲がろうとする場合、この人Ｈ１は、対向する位置にある安全確認ミラー１を見ることにより、曲がろうとする方向の状態を把握することができる。即ち、通路Ｐ２を左側から右側に直進してくる人Ｈ２は、安全確認ミラー１の反射面２に映されるので、この人Ｈ１と人Ｈ２との衝突を防止することができる。また、この人Ｈ１は、無理に視線の向きを変えずに、自然な状態で安全確認ミラー１を見ることができる。
【００３３】
反射面２には、専ら、一方側端２ａの方向、即ち、人Ｈ１が曲がろうとしている方向の死角領域が映され、曲がろうとしていない方向の状況はほとんど映されない。そのため、この人Ｈ１は、不要な像によって混乱することがなくなり、通路のコーナー周辺の死角領域をより明確に把握し易くなる。
【００３４】
この安全確認ミラー１は、専ら、一方向の通路の死角領域を映すために使用される。そのため、必要な一方向の通路の死角領域を映すために適した位置に設置することができる。したがって、安全確認ミラー１を、図１１で例示したフレネルミラー３よりも左側に設置することができる。それ故、必要な方向のより広い範囲の状況を反射面２に映すことが可能になるので、通路のコーナー周辺での不用意な衝突を防止するには益々有利になる。
【００３５】
図３に示したように、反射面２の他方側端２ｂからフレネルミラー３の幅方向中心Ｃ１までの長さＬ１、Ｌ２を、１００ｍｍ以下にすると、反射面２に、必要な方向の死角領域を映すとともに不要な像を映らないようにし易くなる。
【００３６】
また、通路Ｐ１の一方の壁面Ｗ３の延長線上に反射面２が位置するように安全確認ミラー１を設置するのがよい。これにより、反射面２に、必要な方向の死角領域を映すとともに不要な像を映らないようにし易くなる。特に、反射面２の一方側端２ａを壁面Ｗ３の延長線と一致させるようにするのが好ましい。
【００３７】
図４に例示したように、安全確認ミラー１の表面に、反射面２の一方側端２ａの方向を示す表示部９を備えているとこの表示部９によって、安全確認ミラー１を見た人に対しては、この方向に対する意識が喚起されるので、この方向の状況をより把握し易くなる。表示部９を矢印にすると、一方側端２ａの方向が一見して分かるので、必要な方向の状況をさらに把握し易くなる。
【００３８】
また、安全確認ミラー１の表面に、危険を知らせる表示部１０を備えていると、この表示部１０によって、安全確認ミラー１を見た人に対しては、危険を喚起することができるので安全性がより向上する。
【００３９】
ここでは、安全確認ミラー１を、通路Ｐ１の幅方向中心Ｃ２に対して左側に設置した場合を説明したが、幅方向中心Ｃ２に対して右側にも同様に設置することができる。
【符号の説明】
【００４８】
１  安全確認ミラー
２、２Ａ、２Ｂ 反射面
２ａ  一方側端
２ｂ  他方側端
３  フレネルミラー
４  透明プラスチック板
５  環状の傾斜溝
６  反射膜
７  保護層
８  両面テープ
９  一方側端の方向を示す表示部
９ａ  特定表示
１０  危険を知らせる表示部
Ｐ１、Ｐ２  通路
Ｗ１〜Ｗ３  壁面
Ｃ１  フレネルミラーの幅方向中心
Ｃ２  通路の幅方向中心
【図１】
0005776112.tif 000002
【図２】
0005776112.tif 000003
【図３】
0005776112.tif 000004
【図４】
0005776112.tif 000005
【図５】
0005776112.tif 000006
【図６】
0005776112.tif 000007
【図７】
0005776112.tif 000008
【図８】
0005776112.tif 000009